(57)【要約】【課題】受信したデータ内にユニフォーム・リソース・ロケータが含まれている場合、ユーザが別ウインドウを開いてＵＲＬのリソース内容を表示させる必要がなく、ユーザがすぐにリソース内容を確認できるコンピュータシステムおよびそのプログラムを提供すること。【解決手段】コンピュータシステム１００は、コンピュータ端末（１１０Ａ、１１０Ｂ）に設けられ、電子メールアプリケーションソフトまたはチャットアプリケーションソフトを実行したときにメールブラウザＭＢまたはチャット画面ＣＴを表示する表示部１１１Ａ、１１１Ｂと、メールブラウザ内またはチャット画面内に表示されようとするインターネット上のリソース特定情報であるＵＲＬを読み込んでメールブラウザ内またはチャット画面内にウインドウＷＤを設けるとともにウインドウＷＤにＵＲＬのリソース内容を表示させるリソース内容表示手段とを備えている。【選択図】図１
2018180896.tif 000002
【特許請求の範囲】
【請求項１】
コンピュータ端末とサーバとを通信自在にネットワーク接続し、電子メールアプリケーションソフトまたはチャットアプリケーションソフトを実行するコンピュータシステムにおいて、
前記コンピュータ端末に設けられ、電子メールアプリケーションソフトまたはチャットアプリケーションソフトを実行したときに電子メールアプリケーションソフトのメールブラウザまたはチャットアプリケーションソフトのチャット画面を表示する表示部と、
前記メールブラウザ内またはチャット画面内に表示されようとするインターネット上のリソース特定情報であるユニフォーム・リソース・ロケータを読み込んでメールブラウザ内またはチャット画面内にウインドウを設けるとともにウインドウにユニフォーム・リソース・ロケータのリソース内容を表示させるリソース内容表示手段とを備えていることを特徴とするコンピュータシステム。
【請求項２】
前記ユニフォーム・リソース・ロケータのリソース内容が、申請者からの申請内容と、申請内容を承認する承認ボタンと、申請内容を否認する否認ボタンとを含んでいることを特徴とする請求項１に記載のコンピュータシステム。
【請求項３】
前記ユニフォーム・リソース・ロケータのリソース内容が、顧客名と、案件名と、顧客に対するアプローチの指示ボタンとを含んでいることを特徴とする請求項１に記載のコンピュータシステム。
【請求項４】
前記ユニフォーム・リソース・ロケータのリソース内容が、氏名、現在位置、安否を入力する安否確認入力フォームと、送信ボタンとを含んでいることを特徴とする請求項１に記載のコンピュータシステム。
【請求項５】
前記ユニフォーム・リソース・ロケータのリソース内容が、管理者からのお知らせ内容と、お知らせ内容を確認した意思を示す確認ボタンとを含んでいることを特徴とする請求項１に記載のコンピュータシステム。
【請求項６】
コンピュータ端末とサーバとを通信自在にネットワーク接続し、電子メールアプリケーションソフトまたはチャットアプリケーションソフトを実行するコンピュータシステムのプログラムにおいて、
前記電子メールアプリケーションソフトのメールブラウザ内またはチャットアプリケーションソフトのチャット画面内に表示されようとするインターネット上のリソース特定情報であるユニフォーム・リソース・ロケータを読み込むリソース特定情報読み込みステップと、
前記コンピュータ端末に設けられた表示部に、メールブラウザまたはチャット画面を表示するとともに、メールブラウザ内またはチャット画面内にウインドウを設けてウインドウにユニフォーム・リソース・ロケータのリソース内容を表示させるリソース内容表示ステップとをコンピュータ端末に実行させることを特徴とするコンピュータシステムのプログラム。
【発明の詳細な説明】
【技術分野】
【０００１】
本発明は、コンピュータ端末とサーバとを通信自在にネットワーク接続し、電子メールアプリケーションソフトまたはチャットアプリケーションソフトを実行するコンピュータシステムおよびそのプログラムに関する。
【背景技術】
【０００２】
従来、センターサーバの制御プログラムが、利用者の携帯電話のメールアドレスに、安否確認用ユニフォーム・リソース・ロケータ（以下、ＵＲＬ）リンクを記載した安否確認メールを送信し、携帯電話が、受信した安否確認メールのテキストおよびＵＲＬリンクを表示する安否確認システムが知られている。
【先行技術文献】
【特許文献】
【０００３】
【特許文献１】特開２００６−３３８２７７号公報（特に段落００２８、図２参照）
【発明の概要】
【発明が解決しようとする課題】
【０００４】
しかしながら、上述した従来の安否確認システムは、携帯電話が、受信したメールデータに含まれているＵＲＬ情報をＵＲＬリンク形式で表示する構成であったため、ユーザはＵＲＬリンクをクリックして専用のアプリケーションソフトを起動させるとともに、別画面でＵＲＬのリソース内容を表示させなくてはリソース内容を確認することができず、煩わしいという問題があった。
【０００５】
そこで、本発明は、前述したような従来技術の問題を解決するものであって、すなわち、本発明の目的は、受信したデータ内にユニフォーム・リソース・ロケータ（以下、ＵＲＬ）が含まれている場合、ユーザが別ウインドウを開いてＵＲＬのリソース内容を表示させる必要がなく、ユーザがすぐにリソース内容を確認できるコンピュータシステムおよびそのプログラムを提供することである。
【課題を解決するための手段】
【０００６】
本請求項１に係る発明は、コンピュータ端末とサーバとを通信自在にネットワーク接続し、電子メールアプリケーションソフトまたはチャットアプリケーションソフトを実行するコンピュータシステムにおいて、前記コンピュータ端末に設けられ、電子メールアプリケーションソフトまたはチャットアプリケーションソフトを実行したときに電子メールアプリケーションソフトのメールブラウザまたはチャットアプリケーションソフトのチャット画面を表示する表示部と、前記メールブラウザ内またはチャット画面内に表示されようとするインターネット上のリソース特定情報であるユニフォーム・リソース・ロケータを読み込んでメールブラウザ内またはチャット画面内にウインドウを設けるとともにウインドウにユニフォーム・リソース・ロケータのリソース内容を表示させるリソース内容表示手段とを備えていることにより、前述した課題を解決するものである。
【０００７】
本請求項２に係る発明は、請求項１に記載されたコンピュータシステムの構成に加えて、前記ユニフォーム・リソース・ロケータのリソース内容が、申請者からの申請内容と、申請内容を承認する承認ボタンと、申請内容を否認する否認ボタンとを含んでいることにより、前述した課題をさらに解決するものである。
【０００８】
本請求項３に係る発明は、請求項１に記載されたコンピュータシステムの構成に加えて、前記ユニフォーム・リソース・ロケータのリソース内容が、顧客名と、案件名と、顧客に対するアプローチの指示ボタンとを含んでいることにより、前述した課題をさらに解決するものである。
【０００９】
本請求項４に係る発明は、請求項１に記載されたコンピュータシステムの構成に加えて、前記ユニフォーム・リソース・ロケータのリソース内容が、氏名、現在位置、安否を入力する安否確認入力フォームと、送信ボタンとを含んでいることにより、前述した課題をさらに解決するものである。
【００１０】
本請求項５に係る発明は、請求項１に記載されたコンピュータシステムの構成に加えて、前記ユニフォーム・リソース・ロケータのリソース内容が、管理者からのお知らせ内容と、お知らせ内容を確認した意思を示す確認ボタンとを含んでいることにより、前述した課題をさらに解決するものである。
【００１１】
本請求項６に係る発明は、コンピュータ端末とサーバとを通信自在にネットワーク接続し、電子メールアプリケーションソフトまたはチャットアプリケーションソフトを実行するコンピュータシステムのプログラムにおいて、前記電子メールアプリケーションソフトのメールブラウザ内またはチャットアプリケーションソフトのチャット画面内に表示されようとするインターネット上のリソース特定情報であるユニフォーム・リソース・ロケータを読み込むリソース特定情報読み込みステップと、前記コンピュータ端末に設けられた表示部に、メールブラウザまたはチャット画面を表示するとともに、メールブラウザ内またはチャット画面内にウインドウを設けてウインドウにユニフォーム・リソース・ロケータのリソース内容を表示させるリソース内容表示ステップとをコンピュータ端末に実行させることにより、前述した課題を解決するものである。
【発明の効果】
【００１２】
本発明のコンピュータシステムは、コンピュータ端末と、サーバとを備えていることにより、コンピュータ端末がネットワーク接続されてサーバと通信することができるばかりでなく、以下のような特有の効果を奏することができる。
【００１３】
本請求項１に係る発明のコンピュータシステムによれば、受信したデータ内にユニフォーム・リソース・ロケータ（以下、ＵＲＬ）が含まれている場合、メールブラウザ内またはチャット画面内のウインドウにＵＲＬのリソース内容が表示されるため、ユーザが従来のように別ウインドウを開いてＵＲＬのリソース内容を表示させる必要がなく、ユーザはすぐにリソース内容を確認することができる。
さらに、リソース内容が入力フォームである場合、そのメールブラウザ内またはチャット画面内のウインドウに表示された入力フォームに直接入力自在となるため、ユーザは従来のようにＵＲＬをクリックして他のアプリケーションソフトを立ち上げるとともに入力フォームを他のアプリケーションのウインドウで開く必要がなく、既に表示されているウインドウに直接入力して送信することができる。
また、チャットアプリケーションソフトを実行した場合、I/Oの結果を待たずに処理を進めるチャット用サーバを介してチャット上でデータが送られるため、発信元のデータ発信時から殆どタイムラグ無しでＵＲＬのリソース内容を表示することができる。
【００１４】
本請求項２に係る発明のコンピュータシステムによれば、請求項１に係る発明が奏する効果に加えて、メールブラウザ内またはチャット画面内のウインドウにＵＲＬのリソース内容である申請内容が表示されるとともに、承認ボタンおよび否認ボタンがクリック自在に表示されるため、ＵＲＬを受け取ったユーザがワークフロー専用アプリケーションを別途新しいウインドウで開く必要がなく、ユーザはすぐに申請内容を確認して承認ボタンまたは否認ボタンを押して承認または否認することができる。
【００１５】
本請求項３に係る発明のコンピュータシステムによれば、請求項１に係る発明が奏する効果に加えて、メールブラウザ内またはチャット画面内のウインドウにＵＲＬのリソース内容である顧客関係管理情報が表示されるとともに、指示ボタンがクリック自在に表示されるため、ＵＲＬを受け取ったユーザ（上司）が顧客関係管理専用アプリケーションを別途新しいウインドウで開く必要がなく、ユーザ（上司）はすぐに顧客関係管理情報の内容を確認して指示ボタンを選択して押して別のユーザ（部下）に指示することができる。
【００１６】
本請求項４に係る発明のコンピュータシステムによれば、請求項１に係る発明が奏する効果に加えて、メールブラウザ内またはチャット画面内のウインドウにＵＲＬのリソース内容である安否確認入力フォームが表示されるとともに、送信ボタンがクリック自在に表示されるため、ＵＲＬを受け取ったユーザが安否確認専用アプリケーションを別途新しいウインドウで開く必要がなく、ユーザはすぐに安否確認入力フォームに入力して送信ボタンを押して安否確認の返事をすることができる。
【００１７】
本請求項５に係る発明のコンピュータシステムによれば、請求項１に係る発明が奏する効果に加えて、メールブラウザ内またはチャット画面内のウインドウにＵＲＬのリソース内容であるお知らせ内容が表示されるとともに、確認ボタンがクリック自在に表示されるため、ＵＲＬを受け取ったユーザが掲示板サイト専用アプリケーションを別途新しいウインドウで開く必要がなく、ユーザはすぐにお知らせ内容を確認して確認ボタンを押して確認した旨を送信することができる。
【００１８】
本請求項６に係る発明のコンピュータシステムのプログラムによれば、請求項１に係る発明が奏する効果と同様、受信したデータ内にＵＲＬが含まれている場合、メールブラウザ内またはチャット画面内のウインドウにＵＲＬのリソース内容が表示されるため、ユーザが従来のように別ウインドウを開いてＵＲＬのリソース内容を表示させる必要がなく、ユーザはすぐにリソース内容を確認することができる。
さらに、リソース内容が入力フォームである場合、そのメールブラウザ内またはチャット画面内のウインドウに表示された入力フォームに直接入力自在となるため、ユーザは従来のようにＵＲＬをクリックして他のアプリケーションソフトを立ち上げるとともに入力フォームを他のアプリケーションのウインドウで開く必要がなく、既に表示されているウインドウに直接入力して送信することができる。
また、チャットアプリケーションソフトを実行した場合、I/Oの結果を待たずに処理を進めるチャット用サーバを介してチャット上でデータが送られるため、発信元のデータ発信時から殆どタイムラグ無しでＵＲＬのリソース内容を表示することができる。
【図面の簡単な説明】
【００１９】
【図１】本発明の第１実施例であるコンピュータシステムを示す概念図。
【図２】本発明の第１実施例であるコンピュータシステムを示すチャート図。
【図３】本発明の第１実施例のチャット画面を示す図。
【図４】本発明の第２実施例のチャット画面を示す図。
【図５】本発明の第３実施例のメールブラウザを示す図。
【図６】本発明の第４実施例のチャット画面を示す図。
【発明を実施するための形態】
【００２０】
本発明のコンピュータシステムは、コンピュータ端末に設けられ、電子メールアプリケーションソフトまたはチャットアプリケーションソフトを実行したときに電子メールアプリケーションソフトのメールブラウザまたはチャットアプリケーションソフトのチャット画面を表示する表示部と、メールブラウザ内またはチャット画面内に表示されようとするインターネット上のリソース特定情報であるユニフォーム・リソース・ロケータを読み込んでメールブラウザ内またはチャット画面内にウインドウを設けるとともにウインドウにユニフォーム・リソース・ロケータのリソース内容を表示させるリソース内容表示手段とを備えていることにより、ユーザが従来のように別ウインドウを開いてＵＲＬのリソース内容を表示させる必要がなく、ユーザがすぐにリソース内容を確認できるものであれば、その具体的な実施態様は、如何なるものであっても構わない。
また、本発明のコンピュータシステムのプログラムは、電子メールアプリケーションソフトのメールブラウザ内またはチャットアプリケーションソフトのチャット画面内に表示されようとするインターネット上のリソース特定情報であるユニフォーム・リソース・ロケータを読み込むリソース特定情報読み込みステップと、コンピュータ端末に設けられた表示部に、メールブラウザまたはチャット画面を表示するとともに、メールブラウザ内またはチャット画面内にウインドウを設けてウインドウにユニフォーム・リソース・ロケータのリソース内容を表示させるリソース内容表示ステップとをコンピュータ端末に実行させることにより、ユーザが従来のように別ウインドウを開いてＵＲＬのリソース内容を表示させる必要がなく、ユーザがすぐにリソース内容を確認できるものであれば、その具体的な実施態様は、如何なるものであっても構わない。
【００２１】
例えば、コンピュータ端末は、パーソナルコンピュータ端末、タブレット端末、携帯電話端末、スマートフォン端末など、ネットワーク接続されてサーバと通信自在なものであれば如何なるものであっても構わない。
また、電子メールアプリケーションソフトは、メール用サーバを介して複数のコンピュータ端末間で送受信するものであれば送受信するものであれば如何なるものであっても構わない。
同様に、チャットアプリケーションソフトは、I/Oの結果を待たずに処理を進めるチャット用サーバを介して複数のコンピュータ端末（チャットボット含む）間、またはコンピュータ端末とチャットボットとの間で送受信するものであれば如何なるものであっても構わない。
【実施例１】
【００２２】
以下に、本発明の第１実施例であるコンピュータシステム１００について、図１乃至図３に基づいて説明する。
ここで、図１は、本発明の第１実施例であるコンピュータシステム１００を示す概念図であり、図２は、本発明の第１実施例であるコンピュータシステム１００を示すチャート図であり、図３は、本発明の第１実施例のチャット画面ＣＴを示す図である。
【００２３】
本発明の第１実施例であるコンピュータシステム１００は、図１に示すように、コンピュータ端末の一例であるスマートフォン端末１１０Ａやパーソナルコンピュータ端末１１０Ｂと、通信用アプリケーションソフトの一例であるチャットアプリケーションソフト実行時に通信するチャット用サーバ１２０と、チャットボット１３０と、ＵＲＬ元の情報を有した情報提供サーバ１４０とを備えている。
スマートフォン端末１１０Ａやパーソナルコンピュータ端末１１０Ｂは、ネットワーク接続されてチャット用サーバ１２０および情報提供サーバ１４０と通信自在に設けられている。
【００２４】
また、スマートフォン端末１１０Ａの表示部１１１Ａや、パーソナルコンピュータ端末１１０Ｂの表示部１１１Ｂには、アプリケーション表示画面であるチャット画面ＣＴやメールブラウザＭＢ（メール画面ともいう。図５参照）が表示されるように構成されている。
なお、本実施例では、チャットアプリケーションソフト使用時について説明するが、電子メールアプリケーションソフトを使用する場合は、チャット用サーバ１２０に換えてメール用サーバを用いて通信するのは言うまでもない。
【００２５】
チャットアプリケーションソフトのアドオンプログラムであるリソース内容表示手段が、チャット画面内に表示されようとするインターネット上のリソース特定情報であるＵＲＬを読み込む。
そして、リソース内容表示手段が、チャット画面ＣＴの内部に所謂、インラインフレームと呼ばれるウインドウＷＤを設けるとともにチャット画面ＣＴの内部のウインドウＷＤにＵＲＬのリソース内容を表示させるように構成されている。
これにより、受信したデータ内にＵＲＬが含まれている場合、チャット画面ＣＴの内部のウインドウＷＤにＵＲＬのリソース内容が表示される。
その結果、ユーザはすぐにリソース内容を確認することができる。
【００２６】
さらに、リソース内容が入力フォームである場合、チャット画面ＣＴの内部のウインドウＷＤに表示された入力フォームに直接入力自在となる。
その結果、ユーザは従来のようにＵＲＬをクリックして他のアプリケーションソフトを立ち上げるとともに入力フォームを他のアプリケーションのウインドウで開く必要がなく、既に表示されているウインドウＷＤに直接入力して送信することができる。
また、チャットアプリケーションソフトを実行した場合、I/Oの結果を待たずに処理を進めるチャット用サーバ１２０を介してチャット上でデータが送られる。
その結果、発信元のデータ発信時から殆どタイムラグ無しでＵＲＬのリソース内容を表示することができる。
【００２７】
本実施例では、ＵＲＬのリソース内容が、申請者からの申請内容と、申請内容を承認する「承認」ボタンＢ１と、申請内容を否認する「否認」ボタンＢ２とを含んでいることを例として説明する。
例えば、会社内のワークフローシステムにおいて、営業の田中さんが、交通費の申請を行ったとする。
【００２８】
すると、常にワークフローシステムにアクセスしているチャットボット１３０が、新たな申請を検知し、申請内容を読み込む。
そして、チャットボット１３０が、申請プロセスから判断して承認ルートで次ぎの佐竹さんのパーソナルコンピュータ端末１１０Ｂへ、チャット用サーバ１２０を介して、ワークフローシステムの申請内容をリソースとするＵＲＬ情報を含むチャットデータを送信する。
【００２９】
図２のステップＳ１に示すように、佐竹さんのパーソナルコンピュータ端末１１０Ｂのリソース内容表示手段が、受信したチャットデータにＵＲＬ情報が含まれているか否かを判定する。
含まれていると判定した場合は、ステップＳ２へ進み、含まれていないと判定した場合は、ステップＳ１を繰り返す。
【００３０】
ステップＳ２では、リソース内容表示手段が、ＵＲＬを読み込んでＵＲＬ先である情報提供サーバ１４０へアクセスして、ＵＲＬのリソース内容の情報を読み込み、ステップＳ３へ進む。
ステップＳ３では、リソース内容表示手段が、図３に示すように、チャット画面ＣＴの内部にウインドウＷＤを設けるとともに、ウインドウＷＤにＵＲＬのリソース内容であるワークフローシステムにおける申請内容および申請プロセスを表示させる。
ウインドウＷＤの高さおよび幅の寸法は、所定のサイズでもよいし、リソース内容に応じて変化させてもよい。
ウインドウＷＤが所定のサイズの場合で、リソース内容の画面サイズの方が大きいときは、スクロール自在にしてリソース内容の全体を表示するように構成されている。
【００３１】
図３に示すように、本実施例では、リソース内容が、ワークフローシステムの申請プロセス情報を含む申請内容であり、申請者（田中さん）からの申請内容と、この申請内容を承認する「承認」ボタンＢ１と、申請内容を否認する「否認」ボタンＢ２とを含んでいる。
これにより、チャット画面ＣＴの内部のウインドウＷＤにＵＲＬのリソース内容である申請内容が表示されるとともに、「承認」ボタンＢ１および「否認」ボタンＢ２がクリック自在に表示される。
その結果、ＵＲＬを受け取ったユーザ（佐竹さん）がワークフロー専用アプリケーションを別途新しいウインドウで開く必要がなく、ユーザ（佐竹さん）はすぐに申請内容を確認して「承認」ボタンＢ１または「否認」ボタンＢ２を押して承認または否認することができる。
【００３２】
なお、本実施例では、チャットアプリケーションソフトを実行し、チャット画面ＣＴにウインドウＷＤを設けて、ウインドウＷＤにＵＲＬのリソース内容を表示させたが、電子メールアプリケーションソフトを実行し、メールブラウザＭＢ（図５参照）にウインドウＷＤを設けて、ウインドウＷＤにＵＲＬのリソース内容を表示させてもよい。
さらに、パーソナルコンピュータ端末１１０Ｂの表示部１１１Ｂに表示させたが、スマートフォン端末１１０Ａの表示部１１１Ａやタブレット端末の表示部に表示させてもよい。
また、リソース内容が入力フォームである場合、チャット画面ＣＴの内部のウインドウＷＤに表示された入力フォームに直接入力自在となる。
その結果、ユーザは従来のようにＵＲＬをクリックして他のアプリケーションソフトを立ち上げるとともに入力フォームを他のアプリケーションのウインドウで開く必要がなく、既に表示されているウインドウＷＤに直接入力して送信することができる。
【００３３】
また、「承認」ボタンＢ１または「否認」ボタンＢ２が押されて、ワークフローシステムにその旨が反映されると、チャットボット１３０が、その反映されたことを検知して、反映された内容（ワークフローシステムのＵＲＬを含む）を、チャット用サーバ１２０を介して申請者のパーソナルコンピュータ端末１１０Ｂに送信する。
これにより、申請者のパーソナルコンピュータ端末１１０Ｂのチャット画面ＣＴのウインドウＷＤに反映されたワークフローシステムの内容が表示される。
その結果、申請者は、ワークフロー専用アプリケーションを別途新しいウインドウで開く必要がなく、申請後のワークフローの状況を確認することができる。
【００３４】
このようにして得られた本発明の第１実施例であるコンピュータシステム１００は、コンピュータ端末の一例であるスマートフォン端末１１０Ａやパーソナルコンピュータ端末１１０Ｂに設けられ、電子メールアプリケーションソフトまたはチャットアプリケーションソフトを実行したときに電子メールアプリケーションソフトのメールブラウザＭＢまたはチャットアプリケーションソフトのチャット画面ＣＴを表示する表示部１１１Ａ、１１１Ｂと、メールブラウザ内またはチャット画面内に表示されようとするインターネット上のリソース特定情報であるユニフォーム・リソース・ロケータを読み込んでメールブラウザ内またはチャット画面内にウインドウＷＤを設けるとともにウインドウＷＤにユニフォーム・リソース・ロケータのリソース内容を表示させるリソース内容表示手段とを備えていることにより、受信したデータ内にユニフォーム・リソース・ロケータが含まれている場合であっても、ユーザが従来のように別ウインドウを開いてＵＲＬのリソース内容を表示させる必要がなく、ユーザはすぐにリソース内容を確認することができ、さらに、リソース内容が入力フォームである場合、ユーザは従来のようにＵＲＬをクリックして他のアプリケーションソフトを立ち上げるとともに入力フォームを他のアプリケーションのウインドウで開く必要がなく、既に表示されているウインドウＷＤに直接入力して送信することができる。
また、チャットアプリケーションソフトを実行した場合、発信元のデータ発信時から殆どタイムラグ無しでＵＲＬのリソース内容を表示することができる。
【００３５】
さらに、ユニフォーム・リソース・ロケータのリソース内容が、申請者からの申請内容と、申請内容を承認する「承認」ボタンＢ１と、申請内容を否認する「否認」ボタンＢ２とを含んでいることにより、ＵＲＬを受け取ったユーザがワークフロー専用アプリケーションを別途新しいウインドウで開く必要がなく、ユーザはすぐに申請内容を確認して「承認」ボタンＢ１または「否認」ボタンＢ２を押して承認または否認することができる。
【００３６】
また、本発明の第１実施例であるコンピュータシステム１００のプログラムは、電子メールアプリケーションソフトのメールブラウザ内またはチャットアプリケーションソフトのチャット画面内に表示されようとするインターネット上のリソース特定情報であるユニフォーム・リソース・ロケータを読み込むリソース特定情報読み込みステップと、コンピュータ端末の一例であるスマートフォン端末１１０Ａやパーソナルコンピュータ端末１１０Ｂに設けられた表示部１１１Ａ、１１１Ｂに、メールブラウザＭＢまたはチャット画面ＣＴを表示するとともに、メールブラウザ内またはチャット画面内にウインドウＷＤを設けてウインドウＷＤにユニフォーム・リソース・ロケータのリソース内容を表示させるリソース内容表示ステップとをコンピュータ端末に実行させることにより、受信したデータ内にユニフォーム・リソース・ロケータが含まれている場合であっても、ユーザが従来のように別ウインドウを開いてＵＲＬのリソース内容を表示させる必要がなく、ユーザはすぐにリソース内容を確認することができ、さらに、リソース内容が入力フォームである場合、ユーザは従来のようにＵＲＬをクリックして他のアプリケーションソフトを立ち上げるとともに入力フォームを他のアプリケーションのウインドウで開く必要がなく、既に表示されているウインドウＷＤに直接入力して送信することができる。
また、チャットアプリケーションソフトを実行した場合、発信元のデータ発信時から殆どタイムラグ無しでＵＲＬのリソース内容を表示することができるなど、その効果は甚大である。
【実施例２】
【００３７】
続いて、本発明の第２実施例であるコンピュータシステム１００について、図４に基づいて説明する。
ここで、図４は、本発明の第２実施例のチャット画面ＣＴを示す図である。
第２実施例のコンピュータシステム１００は、第１実施例のコンピュータシステム１００のＵＲＬのリソース内容を顧客関係情報（ＣＲＭ）に変更したものであり、多くの要素について第１実施例のコンピュータシステム１００と共通するので、共通する事項については詳しい説明を省略する。
【００３８】
本実施例では、ＵＲＬのリソース内容が、顧客名と、案件名と、顧客に対するアプローチの指示ボタンとを含んでいることを例として説明する。
例えば、会社内の顧客関係管理システムにおいて、営業の田中さんが、新規顧客を登録したとする。
すると、常に顧客関係管理システムにアクセスしているチャットボット１３０が、新たな登録を検知し、登録内容を読み込む。
そして、チャットボット１３０が、登録内容から判断して社内関係者（営業グループのメンバーなど）のパーソナルコンピュータ端末１１０Ｂへ、チャット用サーバ１２０を介して、顧客関係管理システムの登録内容をリソースとするＵＲＬ情報を含むチャットデータを送信する。
【００３９】
すると、社内関係者のパーソナルコンピュータ端末１１０Ｂのリソース内容表示手段が、受信したチャットデータにＵＲＬ情報が含まれていると判定し、ＵＲＬを読み込んでＵＲＬ先である情報提供サーバ１４０へアクセスして、ＵＲＬのリソース内容の情報を読み込む。
そして、図４に示すように、リソース内容表示手段が、チャット画面ＣＴの内部にウインドウＷＤを設けるとともに、ウインドウＷＤにＵＲＬのリソース内容である顧客関係管理システムにおける登録内容を表示させる。
本実施例では、リソース内容が、顧客名と、案件名と、顧客に対するアプローチの指示ボタンとを含んでいる。
具体的に、指示ボタンは、一例として、「客先訪問指示」ボタンＢ３、「見積書作成」ボタンＢ４、「製品説明会ご招待」ボタンＢ５である。
なお、リソース内容が、入力自在なコメント欄および送信ボタン（図示せず）を含んでいる。
【００４０】
これにより、チャット画面ＣＴの内部のウインドウＷＤにＵＲＬのリソース内容である顧客関係管理情報が表示されるとともに、指示ボタンとしての「客先訪問指示」ボタンＢ３、「見積書作成」ボタンＢ４、「製品説明会ご招待」ボタンＢ５がクリック自在に表示される。
その結果、ＵＲＬを受け取ったユーザ（上司）が顧客関係管理専用アプリケーションを別途新しいウインドウで開く必要がなく、ユーザ（上司）はすぐに顧客関係管理情報の内容を確認して指示ボタンとしての「客先訪問指示」ボタンＢ３、「見積書作成」ボタンＢ４、「製品説明会ご招待」ボタンＢ５を選択して押して別のユーザ（営業の田中さん）に指示することができる。
【００４１】
なお、指示ボタンとしての「客先訪問指示」ボタンＢ３、「見積書作成」ボタンＢ４、「製品説明会ご招待」ボタンＢ５が押されて、顧客関係管理システムにその旨が反映されると、チャットボット１３０が、その反映されたことを検知して、反映された内容（顧客関係管理システムのＵＲＬを含む）を、チャット用サーバ１２０を介して営業の田中さんのパーソナルコンピュータ端末１１０Ｂに送信する。
これにより、営業の田中さんのパーソナルコンピュータ端末１１０Ｂのチャット画面ＣＴのウインドウＷＤに反映された顧客関係管理システムの内容が表示される。
その結果、登録者である営業の田中さんは、顧客関係管理専用アプリケーションを別途新しいウインドウで開く必要がなく、登録後の顧客関係管理システムにおける上司からの指示を確認することができる。
【００４２】
本実施例では、チャットアプリケーションソフトを実行し、チャット画面ＣＴにウインドウＷＤを設けて、ウインドウＷＤにＵＲＬのリソース内容を表示させたが、電子メールアプリケーションソフトを実行し、メールブラウザＭＢ（図５参照）にウインドウＷＤを設けて、ウインドウＷＤにＵＲＬのリソース内容を表示させてもよい。
さらに、パーソナルコンピュータ端末１１０Ｂの表示部１１１Ｂに表示させたが、スマートフォン端末１１０Ａの表示部１１１Ａやタブレット端末の表示部に表示させてもよい。
【００４３】
このようにして得られた本発明の第２実施例であるコンピュータシステム１００は、ＵＲＬのリソース内容が、顧客名と、案件名と、顧客に対するアプローチの指示ボタンの一例としての「客先訪問指示」ボタンＢ３、「見積書作成」ボタンＢ４、「製品説明会ご招待」ボタンＢ５とを含んでいることにより、ＵＲＬを受け取ったユーザ（上司）が顧客関係管理専用アプリケーションを別途新しいウインドウで開く必要がなく、ユーザ（上司）はすぐに顧客関係管理情報の内容を確認して指示ボタンとしての「客先訪問指示」ボタンＢ３、「見積書作成」ボタンＢ４、「製品説明会ご招待」ボタンＢ５を選択して押して別のユーザ（営業の田中さん）に指示することができるなど、その効果は甚大である。
【実施例３】
【００４４】
続いて、本発明の第３実施例であるコンピュータシステム１００について、図５に基づいて説明する。
ここで、図５は、本発明の第３実施例のメールブラウザＭＢを示す図である。
第３実施例のコンピュータシステム１００は、第１実施例のコンピュータシステム１００のＵＲＬのリソース内容を安否確認情報に変更したものであり、多くの要素について第１実施例のコンピュータシステム１００と共通するので、共通する事項については詳しい説明を省略する。
【００４５】
本実施例では、ＵＲＬのリソース内容が、氏名、現在位置、安否を入力する安否確認入力フォームと、「送信」ボタンＢ６とを含んでいることを例として説明する。
例えば、会社内の安否確認システムが、気象庁から地震速報を受信したとする。
すると、会社内の安否確認システムが、全社員のパーソナルコンピュータ端末１１０Ｂへ、メールサーバを介して、安否確認システムの安否確認入力フォームをリソースとするＵＲＬ情報および地震発生日時、震源地、地震規模などの地震情報を含むメールデータを送信する。
【００４６】
全社員のパーソナルコンピュータ端末１１０Ｂのリソース内容表示手段が、受信したメールデータにＵＲＬ情報が含まれていると判定し、ＵＲＬを読み込んでＵＲＬ先である情報提供サーバ１４０へアクセスして、ＵＲＬのリソース内容の情報を読み込む。
そして、図５に示すように、リソース内容表示手段が、メールブラウザＭＢの内部にウインドウＷＤを設けるとともに、ウインドウＷＤにＵＲＬのリソース内容である安否確認システムにおける安否確認入力フォームおよび「送信」ボタンＢ６を表示させる。
本実施例では、リソース内容が、氏名、現在位置、安否を入力する安否確認入力フォームと、「送信」ボタンＢ６とを含んでいる。
具体的には、一例として、氏名および部署名が入力自在に設けられ、現在位置、被害状況、業務可否が選択自在に設けられ、コメント欄が入力自在に設けられ、「送信」ボタンＢ６がクリック自在に設けられている。
【００４７】
これにより、メールブラウザＭＢの内部のウインドウＷＤにＵＲＬのリソース内容である安否確認入力フォームが表示されるとともに、「送信」ボタンＢ６がクリック自在に表示される。
その結果、ＵＲＬを受け取ったユーザ（全社員）が安否確認専用アプリケーションを別途新しいウインドウで開く必要がなく、ユーザ（全社員）はすぐに安否確認入力フォームに入力して「送信」ボタンＢ６を押して安否確認の返事をすることができる。
【００４８】
なお、本実施例では、電子メールアプリケーションソフトを実行し、メールブラウザＭＢにウインドウＷＤを設けて、ウインドウＷＤにＵＲＬのリソース内容を表示させたが、チャットアプリケーションソフトを実行し、チャット画面ＣＴ（図１など参照）にウインドウＷＤを設けて、ウインドウＷＤにＵＲＬのリソース内容を表示させてもよい。
さらに、パーソナルコンピュータ端末１１０Ｂの表示部１１１Ｂに表示させたが、スマートフォン端末１１０Ａの表示部１１１Ａやタブレット端末の表示部に表示させてもよい。
【００４９】
このようにして得られた本発明の第３実施例であるコンピュータシステム１００は、氏名、現在位置、安否を入力する安否確認入力フォームと、「送信」ボタンＢ６とを含んでいることにより、ＵＲＬを受け取ったユーザ（全社員）が安否確認専用アプリケーションを別途新しいウインドウで開く必要がなく、ユーザ（全社員）はすぐに安否確認入力フォームに入力して「送信」ボタンＢ６を押して安否確認の返事をすることができるなど、その効果は甚大である。
【実施例４】
【００５０】
続いて、本発明の第４実施例であるコンピュータシステム１００について、図６に基づいて説明する。
ここで、図６は、本発明の第４実施例のチャット画面ＣＴを示す図である。
第４実施例のコンピュータシステム１００は、第１実施例のコンピュータシステム１００のＵＲＬのリソース内容を掲示板サイト情報に変更したものであり、多くの要素について第１実施例のコンピュータシステム１００と共通するので、共通する事項については詳しい説明を省略する。
【００５１】
本実施例では、ＵＲＬのリソース内容が、管理者からのお知らせ内容と、お知らせ内容を確認した意思を示す「確認」ボタンＢ７とを含んでいることを例として説明する。
例えば、会社内の掲示板サイトシステムにおいて、総務部が、社員旅行についてのお知らせを登録したとする。
すると、常に掲示板サイトシステムにアクセスしているチャットボット１３０が、新たな登録を検知し、登録内容を読み込む。
そして、チャットボット１３０が、登録内容から判断して関係者である全社員のパーソナルコンピュータ端末１１０Ｂへ、チャット用サーバ１２０を介して、掲示板サイトシステムの登録内容をリソースとするＵＲＬ情報を含むチャットデータを送信する。
【００５２】
すると、全社員のパーソナルコンピュータ端末１１０Ｂのリソース内容表示手段が、受信したチャットデータにＵＲＬ情報が含まれていると判定し、ＵＲＬを読み込んでＵＲＬ先である情報提供サーバ１４０へアクセスして、ＵＲＬのリソース内容の情報を読み込む。
そして、図６に示すように、リソース内容表示手段が、チャット画面ＣＴの内部にウインドウＷＤを設けるとともに、ウインドウＷＤにＵＲＬのリソース内容である掲示板サイトシステムにおける社員旅行についてのお知らせ内容を表示させる。
本実施例では、リソース内容が、管理者からのお知らせ内容と、お知らせ内容を確認した意思を示す「確認」ボタンＢ７とを含んでいる。
【００５３】
これにより、チャット画面ＣＴの内部のウインドウＷＤにＵＲＬのリソース内容であるお知らせ内容が表示されるとともに、「確認」ボタンＢ７がクリック自在に表示される。
その結果、ＵＲＬを受け取ったユーザ（全社員）が掲示板サイト専用アプリケーションを別途新しいウインドウで開く必要がなく、ユーザ（全社員）はすぐにお知らせ内容を確認して「確認」ボタンＢ７を押して確認した旨を送信することができる。
【００５４】
なお、「確認」ボタンＢ７が押されて、掲示板サイトシステムにその旨が反映されると、チャットボット１３０が、その反映されたことを検知して、反映された内容（掲示板サイトシステムのＵＲＬを含む）を、チャット用サーバ１２０を介して管理者である総務部のパーソナルコンピュータ端末１１０Ｂに送信する。
これにより、総務部のパーソナルコンピュータ端末１１０Ｂのチャット画面ＣＴのウインドウＷＤに反映された掲示板サイトシステムの内容が表示される。
その結果、管理者である総務部は掲示板サイト専用アプリケーションを別途新しいウインドウで開く必要がなく、登録後の掲示板サイトシステムにおける全社員のお知らせ内容確認状況を確認することができる。
【００５５】
本実施例では、チャットアプリケーションソフトを実行し、チャット画面ＣＴにウインドウＷＤを設けて、ウインドウＷＤにＵＲＬのリソース内容を表示させたが、電子メールアプリケーションソフトを実行し、メールブラウザＭＢ（図５参照）にウインドウＷＤを設けて、ウインドウＷＤにＵＲＬのリソース内容を表示させてもよい。
さらに、パーソナルコンピュータ端末１１０Ｂの表示部１１１Ｂに表示させたが、スマートフォン端末１１０Ａの表示部１１１Ａやタブレット端末の表示部に表示させてもよい。
【００５６】
このようにして得られた本発明の第４実施例であるコンピュータシステム１００は、ＵＲＬのリソース内容が、管理者からのお知らせ内容と、お知らせ内容を確認した意思を示す「確認」ボタンＢ７とを含んでいることにより、ＵＲＬを受け取ったユーザ（全社員）が掲示板サイト専用アプリケーションを別途新しいウインドウで開く必要がなく、ユーザ（全社員）はすぐにお知らせ内容を確認して「確認」ボタンＢ７を押して確認した旨を送信することができるなど、その効果は甚大である。
【符号の説明】
【００５７】
１００  ・・・  コンピュータシステム
１１０Ａ・・・  スマートフォン端末（コンピュータ端末）
１１０Ｂ・・・  パーソナルコンピュータ端末（コンピュータ端末）
１１１Ａ・・・  （スマートフォン端末の）表示部
１１１Ｂ・・・  （パーソナルコンピュータ端末の）表示部
１２０  ・・・  チャット用サーバ
１３０  ・・・  チャットボット
１４０  ・・・  情報提供サーバ
ＣＴ    ・・・  チャット画面
ＭＢ    ・・・  メールブラウザ
ＷＤ    ・・・  ウインドウ
Ｂ１    ・・・  「承認」ボタン
Ｂ２    ・・・  「否認」ボタン
Ｂ３    ・・・  「客先訪問指示」ボタン（指示ボタン）
Ｂ４    ・・・  「見積書作成」ボタン（指示ボタン）
Ｂ５    ・・・  「製品説明会ご招待」ボタン（指示ボタン）
Ｂ６    ・・・  「送信」ボタン
Ｂ７    ・・・  「確認」ボタン
【図１】
2018180896.tif 000003
【図２】
2018180896.tif 000004
【図３】
2018180896.tif 000005
【図４】
2018180896.tif 000006
【図５】
2018180896.tif 000007
【図６】
2018180896.tif 000008